(57)【特許請求の範囲】
【請求項１】
被服の表面側に配置され、周囲の音声を取り込んで音声信号を生成するマイクロホンヘッドチップと、
このマイクロホンヘッドチップに設けられた複数の貫通孔と、
前記マイクロホンヘッドチップの前記貫通孔内部に設けられた複数の電極と、
受電部基板と、この受電部基板の表面に立設された複数の針状電極とを備えるとともに、これら針状電極を介して前記マイクロホンヘッドチップに電源電圧を供給しながら、前記マイクロホンヘッドチップから出力される音声信号を取り込む受電部と、
この受電部と接続され、受電部から出力される音声信号を指定された装置に導くケーブルとを備え、
前記各針状電極は、前記被服の裏面側から表面側へ貫通された状態で前記各貫通孔に挿入されたとき、前記マイクロホンヘッドチップ側に設けられた各電極によって着脱自在に挟み込まれることにより、前記マイクロホンヘッドチップと前記受電部とが電気的、機械的に接続される、
ことを特徴とするマイクロホン。
【発明の詳細な説明】
【０００１】
【発明の属する技術分野】
本発明は、コンシールド・コンダクション・チップ・マイクロホン（Concealed Conduction Chip Microphone）などのマイクロホンに係わり、特にタイピンタイプを構成するマイクロホンのヘッド部分から一定距離間（装着する被服の表側から裏側）をケーブルを用いずに、音声信号を伝えるマイクロホンに関する。
【０００２】
［発明の概要］
本発明は、マイクロホンヘッドチップと、ケーブルとを分離し、被服を貫通する複数の電極を使用したコンタクト方式、電磁誘導を使用した電磁誘導方式あるいは磁気の変化を使用した磁界変動検出方式などによって、これらマイクロホンヘッドチップと、ケーブルとを接続することにより、従来のタイピンタイプのマイクロホンの特徴である超小型ヘッドの形態を活かしながら、被服の表面側にマイクロホンヘッドチップ部分のみを出すとともに、このマイクロホンヘッドチップから出力される電気信号を被服を通り抜けさせ、裏側のケーブル部分に伝えることによって、クリアで、自然な音声を集音しながら、ケーブルを目立たないようにするものである。
【０００３】
【従来の技術】
ニュースやトーク番組などでは、現在、タイピンタイプのマイクロホンが一般的に使用されている。
【０００４】
このマイクロホンは、アナウンサーなどの胸などに取り付けられ、このアナウンサーなどの音声を電気信号（音声信号）に変換する超小型のマイクロホンヘッドと、このマイクロホンヘッドに対し、電源電圧を供給する処理、マイクロホンヘッドから出力される音声信号を取り込んで無線装置などに伝送するケーブルとを備えており、図７に示すように、ケーブル１０４をアナウンサー１０１のスーツ１０２内に隠したまま、マイクロホンヘッド１０３に設けられたピン部分をアナウンサー１０１のスーツ１０２の襟、あるいはネクタイなどに固定して使用する。
【０００５】
これによって、マイクロホンヘッド１０３やケーブル１０４をほとんど目立たせることなく、アナウンサー１０１の音声などを集音することができる。
【０００６】
【発明が解決しようとする課題】
しかしながら、上述したタイピンタイプのマイクロホンにおいては、図８に示すように、トレーナやＴシャツなど、襟が無い丸首の被服１０５にマイクロホンヘッド１０３を取り付ける場合、装着者１０６の口元からマイクロホンヘッド１０３まで、適正距離を確保するため、装着者１０６の首元から胸元まで、ケーブル１０４を露出させて、ピンまたはマグネットで、マイクロホンヘッド１０３を固定して使用しなければならない。
【０００７】
このため、首元から出たケーブル１０４によって見た目が悪くなってしまうという問題があった。
【０００８】
そこで、このような問題を解決する方法として、被服１０５の裏側にマイクロホンヘッド１０３を張り付けて隠す方法も提案されているが、このような方法では、音質がこもったり、被服１０５の内側で、こすれノイズが発生したりすることから、あまり有効な方法であるとはいえず、ほとんど使用されていない。
【０００９】
このため、トレーナやＴシャツなど、襟などが無い丸首の被服１０５にマイクロホンヘッド１０３を取り付ける場合でも、クリアで、自然な音声を集音するために、マイクロホンヘッド１０３を被服１０５の表面に出しながら、ケーブル１０４などが目立たないようにすることができるマイクロホンの開発が強く望まれていた。
【００１０】
本発明は上記の事情に鑑み、従来から使用されているタイピンタイプのマイクロホンの特徴である超小型ヘッドの形態を活かすことができ、かつ被服の表面側にはマイクロホンヘッドチップ部分のみを出させるとともに、このマイクロホンヘッドチップから出力される電気信号を被服の裏側に通り抜けさせて、裏側のケーブル部分に伝えることができ、これによってクリアで、自然な音声を集音させながら、ケーブルを目立たないようにすることを可能にしたマイクロホンシステムを提供することを目的としている。
【００１２】
【課題を解決するための手段】
上記の目的を達成するために本発明によるマイクロホンは、被服の表面側に配置され、周囲の音声を取り込んで音声信号を生成するマイクロホンヘッドチップと、このマイクロホンヘッドチップに設けられた複数の貫通孔と、前記マイクロホンヘッドチップの前記貫通孔内部に設けられた複数の電極と、受電部基板と、この受電部基板の表面に立設された複数の針状電極とを備えるとともに、これら針状電極を介して前記マイクロホンヘッドチップに電源電圧を供給しながら、前記マイクロホンヘッドチップから出力される音声信号を取り込む受電部と、この受電部と接続され、受電部から出力される音声信号を指定された装置に導くケーブルとを備え、前記各針状電極は、前記被服の裏面側から表面側へ貫通された状態で前記各貫通孔に挿入されたとき、前記マイクロホンヘッドチップ側に設けられた各電極によって着脱自在に挟み込まれることにより、前記マイクロホンヘッドチップと前記受電部とが電気的、機械的に接続されることを特徴としている。
【００１６】
上記の構成において、請求項１のマイクロホンによれば、被服の裏面側に配置された受電部は、被服を貫通する電極を使用した接続方式で、被服の表面側に配置されたマイクロホンヘッドに、電源電圧を供給する。マイクロホンヘッドは、周囲の音声を取り込んで音声信号を生成し、これを電極を介して受電部に導く。この音声信号を受電部に接続されたケーブルを介して指定された装置に供給する。これにより、従来から使用されているタイピンタイプのマイクロホンの特徴である超小型ヘッドの形態を活かし、被服の表面側には、マイクロホンヘッドチップ部分のみを出させるとともに、このマイクロホンヘッドチップから出力される電気信号を被服の裏側に通り抜けさせて、裏側のケーブル部分に伝え、これによってクリアで、自然な音声を集音させながら、ケーブルを目立たなせないようにする。
【００２０】
【発明の実施の形態】
図１は本発明によるマイクロホンの第１の実施の形態を示す斜視図である。
【００２１】
この図に示すマイクロホン１は、アナウンサーなどが着ている被服５（図２、図３参照）の裏面側に取り付けられる受電部２と、被服５の表面などに取り付けられる超小型のマイクロホンヘッドチップ３と、一端が受電部２に接続されるケーブル４とを備えており、受電部２を被服５の裏側に当てて、各針状電極６の先端を被服５に押し付けて、先端を被服５の表面側に貫通させた後、マイクロホンヘッドチップ３を針状電極６の先端に差し込んで、これらを機械的、電気的に結合させ、ケーブル４を介して供給された電源電圧を、受電部および各針状電極６を順次介して、マイクロホンヘッドチップ３に導きながら、このマイクロホンヘッドチップ３によって、アナウンサーなどが発声した音声を集音し、音声信号を生成するとともに、この音声信号を各針状電極６、受電部２およびケーブル４を順次介して無線装置などに供給する。
【００２２】
受電部２は、図２に示すように、板状に形成される受電部基板７と、この受電部基板７上に、１〜２ｃｍ程度の長さになるように垂設される複数の針状電極６と、受電部基板７内に配置され、各針状電極６とケーブル４内の各電線の各一端とを電気的に接続するコネクタ８とを備えており、ケーブル４の各電線を介して供給される電源電圧を取り込み、これを各針状電極６を介し、マイクロホンヘッドチップ３に供給するとともに、各針状電極６を介して、このマイクロホンヘッドチップ３から出力される音声信号を取り込んで、これを各ケーブル４の各電線を介し、無線装置などに供給する。
【００２３】
また、マイクロホンヘッドチップ３は、矩形状に形成されるチップ筐体９と、このチップ筐体９内に配置され、このチップ筐体９の裏面側に形成された複数の貫通孔１０に、各針状電極６が挿通されたとき、各針状電極６を着脱自在に挟み込んで、マイクロホンヘッドチップ３と受電部２とを電気的、機械的に連結させる複数のメス型電極１１と、チップ筐体９内に配置され、指定された方向からの音声を集音する集音部１２と、各メス型電極１１を介して供給される電源電圧を用いて、集音部１２で収集された音声を電気信号（音声信号）に変換し、これを各メス型電極１１を介し、受電部２側に供給する音／電変換部１３とを備えており、受電部２の各針状電極６が各貫通孔１０に差し込まれたとき、各メス型電極１１によって各針状電極６を挟み込んで、受電部２と機械的に結合されるとともに、各針状電極６を介して供給される電源電圧を用いて、指定された方向からの音声を音声信号に変換し、これを各針状電極６を介して、受電部２の本体側に供給する。
【００２４】
このように、この第１の実施の形態では、受電部２を被服５の裏側に当てて、各針状電極６の先端を被服５に押し付けて、先端を被服５の表面側に貫通させた後、マイクロホンヘッドチップ３を針状電極６の先端に差し込んで、これらを機械的、電気的に結合させ、ケーブル４を介して供給された電源電圧を受電部、各針状電極６を順次介して、マイクロホンヘッドチップ３に導きながら、このマイクロホンヘッドチップ３によって、アナウンサーなどが発声した音声を集音させて、音声信号を生成させるとともに、これを各針状電極６、受電部２、ケーブル４を順次介して、無線装置などに供給させるようにしているので、図３に示すように、従来のマイクロホンでは、出演者１４などが丸首のＴシャツなどの被服５を着ていたとき、マイクロホンヘッド１６に接続されたケーブル１７が目立ってしまうのに対し、第１の実施の形態のマイクロホン１では、図４に示すように、マイクロホンヘッドチップ３部分を被服５の表面側に出して、クリアで、自然な音声を集音しながら、ケーブル４を被服５の裏側に隠して、目立たないようにすることができる。
【００２５】
図５は本発明によるマイクロホンの第２の実施の形態を示すブロック図である。
【００２６】
この図に示すマイクロホン２１は、アナウンサーなどが着ている被服２２の裏面側に取り付けられる受電部２３と、被服２２の表面などに取り付けられる超小型のマイクロホンヘッドチップ２４と、一端が受電部２３に接続されるケーブル２５とを備えている。受電部２３を被服２２の裏側に当てながら、マイクロホンヘッドチップ２４を被服２２の表側から受電部２３と対応する位置に配置したとき、各マグネット２６、２７の磁力によって、これら受電部２３と、マイクロホンヘッドチップ２４とが着脱自在に連結される。また、ケーブル２５を介して供給された電源電圧を用いて、低い周波数の交番磁界が発生され、マイクロホンヘッドチップ２４に電源電圧となる２次電圧が生成される。そして、このマイクロホンヘッドチップ２４によって、アナウンサーなどが発声した音声が磁力線（磁気信号）に変換されて、受電部２３で音声信号として再生され、この音声信号がケーブル２５を介して無線装置などに供給される。
【００２７】
受電部２３は、矩形状に形成される受電部筐体２８と、この受電部筐体２８の表面側に設けられるマグネット２６と、受電部筐体２８内に配置される誘導コイル２９と、受電部筐体２８内に配置され、ケーブル２５内の各電線を介して供給される電源電圧に基づき、低い周波数の交番電流を生成して、誘導コイル２９に交番磁界を生成させるとともに、この誘導コイル２９に高い周波数の磁力線が与えられて２次電圧が誘起されたとき、この２次電圧に基づいて音声信号を生成し、これをケーブル２５の各電線を介して、無線装置などに供給する磁気回路３０とを備えている。そして、この受電部２３では、ケーブル２５の各電線を介して供給される電源電圧を取り込んで、低い周波数の交番磁界を生成して、マイクロホンヘッドチップ２４に電源電圧となる２次電圧を生成させるとともに、このマイクロホンヘッドチップ２４から出力される高い周波数の磁力線（磁気信号）に応じた音声信号を生成し、これを各ケーブル２５の電線を介して、無線装置などに供給する。
【００２８】
また、マイクロホンヘッドチップ２４は、矩形状に形成されるチップ筐体３１と、このチップ筐体３１の裏面側に配置され、被服２２を介在させた状態で、受電部２３のマグネット２６と引き合って、チップ筐体３１を受電部２３側に着脱自在に固定するマグネット２７と、チップ筐体３１内に配置される誘導コイル３２と、チップ筐体３１内に配置され、指定された方向からの音声を集音する集音部３３と、チップ筐体３１内に配置され、誘導コイル３２に発生した２次電圧を電源電圧として、音声を電気信号（音声信号）に変換し、これを直接、または周波数変調して誘電コイル３２に供給し、磁力線を発生させる音／電変換部３４とを備えている。そして、このマイクロホンヘッドチップ２４は、被服２２の裏側に受電部２３を密着させた状態で、受電部２３と対応する位置に配置されたとき、チップ筐体３１に取り付けられたマグネット２７が受電部２３に設けられたマグネット２６と引き合って、チップ筐体３１を受電部２３に着脱自在に固定する。この状態で、受電部２３によって低い周波数の交番磁界が生成されたとき、誘導コイル３２によって電源電圧となる２次電圧を生成して、指定された方向からの音声を音声信号に変換するとともに、この音声信号をそのままの周波数または高い周波数の磁気信号（磁力線）に変換して受電部２３に伝え、音声信号を再生させる。
【００２９】
このように、この第２の実施の形態では、受電部２３を被服２２の裏側に当てながら、マイクロホンヘッドチップ２４を被服２２の表側から受電部２３と対応する位置に配置したとき、各マグネット２６、２７の磁力によって、これら受電部２３と、マイクロホンヘッドチップ２４とを着脱自在に連結させるとともに、ケーブル２５を介して供給された電源電圧を用いて、低い周波数の交番磁界を発生させて、マイクロホンヘッドチップ２４に電源電圧となる２次電圧を生成させながら、このマイクロホンヘッドチップ２４によって、アナウンサーなどが発声した音声を磁力線（磁気信号）に変換させて、受電部２３で音声信号を再生させ、これをケーブル２５を介し、無線装置などに供給させるようにしているので、マイクロホンヘッドチップ２４部分を被服２２の表面側に出して、クリアで、自然な音声を集音しながら、ケーブル２５を被服２２の裏側に隠して、目立たないようにすることができる。
【００３０】
図６は本発明によるマイクロホンの第３の実施の形態を示すブロック図である。
【００３１】
この図に示すマイクロホン４１は、アナウンサーなどが着ている被服４２の裏面側に取り付けられる受電部４３と、被服４２の表面などに取り付けられる超小型のマイクロホンヘッドチップ４４と、一端が受電部４３に接続されるケーブル４５とを備えている。このマイクロホン４１は、受電部４３を被服４２の裏側に当てながら、マイクロホンヘッドチップ４４を被服４２の表側から受電部４３と対応する位置に配置したとき、各マグネット４６、４７の磁力によって、これら受電部４３と、マイクロホンヘッドチップ４４とを着脱自在に連結させるとともに、ケーブル４５を介して供給された電源電圧を用いて、磁界を発生しながら、マイクロホンヘッドチップ４４によって、アナウンサーなどが発声した音声を集音させて、磁界を変化させることにより、受電部４３側に音声信号を伝え、これをケーブル４５を介して無線装置などに供給する。
【００３２】
受電部４３は、矩形状に形成される受電部筐体４８と、この受電部筐体４８の表面側に設けられるマグネット４６と、受電部筐体４８内に配置される誘導コイル４９と、受電部筐体４８内に配置され、磁界の強さに応じた磁気検知信号を生成する磁気センサ５０と、受電部筐体４８内に配置され、ケーブル４５内の各電線を介して供給される電源電圧に基づき、直流または交流の駆動電流を生成して、誘導コイル４９に磁界を生成させるとともに、磁気センサ５０から出力される磁気検知信号に基づいて音声信号を生成し、これをケーブル４５の各電線を介して、無線装置などに供給する磁気回路５１とを備えている。そして、この受電部４３は、ケーブル４５の各電線を介して供給される電源電圧を取り込んで、直流または交流の磁界を生成するとともに、磁気センサ５０によって磁界の強さに応じた音声信号を生成して、これを各ケーブル４５の電線を介して無線装置などに供給する。
【００３３】
また、マイクロホンヘッドチップ４４は、矩形状に形成されるチップ筐体５２と、このチップ筐体５２の裏面側に配置され、被服４２を介在させた状態で、受電部４３のマグネット４６と引き合って、チップ筐体５２を受電部４３側に着脱自在に固定するマグネット４７と、チップ筐体５２内に配置され、指定された方向からの音声を集音する集音部５３と、チップ筐体５２内に配置され、集音部５３によって集音された音声に応じて、振動して受電部４３によって生成された磁気の経路抵抗（磁気抵抗）を変化させる磁性振動体５４とを備えている。そして、このマイクロホンヘッドチップ４４は、被服４２の裏側に受電部４３を密着させた状態で、受電部４３と対応する位置に配置されたとき、チップ筐体５２に取り付けられたマグネット４７が受電部４３に設けられたマグネット４６と引き合って、チップ筐体５２を受電部４３に着脱自在に固定する。この状態で、指定された方向からの音声に応じて磁性振動体５４を振動させて、受電部４３によって生成された磁界の強さを変化させて、受電部４３に磁界の強さに応じた音声信号を再生させる。
【００３４】
このように、この第３の実施の形態では、受電部４３を被服４２の裏側に当てながら、マイクロホンヘッドチップ４４を被服４２の表側から受電部４３と対応する位置に配置したとき、各マグネット４６、４７の磁力によって、これら受電部４３と、マイクロホンヘッドチップ４４とを着脱自在に連結させるとともに、ケーブル４５を介して供給された電源電圧を用いて、磁界を発生しながら、マイクロホンヘッドチップ４４によって、アナウンサーなどが発声した音声を集音させて、磁界を変化させることにより、受電部４３側に音声信号を伝え、これをケーブル４５を介して、無線装置などに供給させるようにしているので、マイクロホンヘッドチップ４４部分を被服４２の表面側に出して、クリアで、自然な音声を集音しながら、ケーブル４５を被服４２の裏側に隠して、目立たないようにすることができる。
【００３５】
【発明の効果】
以上説明したように本発明によれば、請求項１では、マイクロホンヘッドチップとケーブルとを分離し、被服を貫通する複数の電極によって、これらマイクロホンヘッドチップとケーブルとを接続することにより、従来から使用されているタイピンタイプのマイクロホンの特徴である超小型ヘッドの形態を活かし、被服の表面側には、マイクロホンヘッドチップ部分のみを出させるとともに、このマイクロホンヘッドチップから出力される電気信号を被服の裏側に通り抜けさせて、裏側のケーブル部分に伝えることができ、これによってクリアで、自然な音声を集音させながら、ケーブルを目立たなせないようにすることができる。
【図面の簡単な説明】
【図１】本発明によるマイクロホンの第１の実施の形態を示す斜視図である。
【図２】図１に示す受電部、マイクロホンヘッドチップの詳細な回路構成例を示すブロック図である。
【図３】従来から使用されているマイクロホンの使用例を示す模式図である。
【図４】図１に示すマイクロホンの使用例を示す模式図である。
【図５】本発明によるマイクロホンの第２の実施の形態を示すブロック図である。
【図６】本発明によるマイクロホンの第３の実施の形態を示すブロック図である。
【図７】従来から知られているマイクロホンの使用例を示す模式図である。
【図８】従来から知られているマイクロホンの他の使用例を示す模式図である。
【符号の説明】
１、２１、４１  マイクロホン
２、２３、４３  受電部
３、２４、４４  マイクロホンヘッドチップ
４、１７、２５、４５  ケーブル
５、２２、４２  被服
６  針状電極
７  受電部基板
８  コネクタ
９、３１、５２  チップ筐体
１０  貫通孔
１１  メス型電極
１２、３３、５３  集音部
１３、３４  音／電変換部
１４  出演者
１６  マイクロホンヘッド
２６、２７、４６、４７  マグネット
２８、４８  受電部筐体
２９、３２、４９  誘導コイル
３０、５１  磁気回路
５０  磁気センサ
５４  磁性振動体
【図１】
0003869077.tif 000002
【図２】
0003869077.tif 000003
【図３】
0003869077.tif 000004
【図４】
0003869077.tif 000005
【図５】
0003869077.tif 000006
【図６】
0003869077.tif 000007
【図７】
0003869077.tif 000008
【図８】
0003869077.tif 000009